(57)【要約】【課題】撮影条件間の比較や許容範囲の設定を容易にして、撮影条件の検討をしやすくする。【解決手段】複数の撮影条件で視差画像を取得する撮像部と、複数の撮影条件の各々と所定の観察条件と被写体距離範囲とから、所定の観察条件下で視差画像から観察される立体像の歪について被写体距離範囲内の被写体全体を代表する歪評価値を導出する立体像歪評価値導出部と、複数の撮影条件の各々に応じた歪評価値の情報を表示する表示部と、を備える。【選択図】図１
2014027391.tif 000002
【特許請求の範囲】
【請求項１】
複数の撮影条件で視差画像を取得する撮像部と、
前記複数の撮影条件の各々と所定の観察条件と被写体距離範囲とから、前記所定の観察条件下で前記視差画像から観察される立体像の歪について前記被写体距離範囲内の被写体全体を代表する歪評価値を導出する立体像歪評価値導出部と、
前記複数の撮影条件の各々に応じた前記歪評価値の情報を表示する表示部と、
を備えることを特徴とする撮像装置。
【請求項２】
前記歪評価値は、圧縮率及び線形率の少なくとも一方を含むことを特徴とする請求項１に記載の撮像装置。
【請求項３】
前記複数の撮影条件の各々と前記所定の観察条件と視差制限範囲とから、前記視差制限範囲内の視差量になる最遠の被写体距離である遠方制限推奨距離と前記視差制限範囲内の視差量になる最近の被写体距離である近方制限推奨距離とを導出する推奨被写体範囲導出部を備え、
前記表示部は、前記推奨被写体範囲導出部が導出した前記遠方制限推奨距離及び前記近方制限推奨距離を表示することを特徴とする請求項１又は請求項２に記載の撮像装置。
【請求項４】
前記線形率は、前記被写体距離範囲内の最遠の距離について導出した立体像の大きさと、最近の距離について導出した立体像の大きさと、その中間の距離について導出した立体像の大きさと、を用いて表されることを特徴とする請求項２に記載の撮像装置。
【請求項５】
前記圧縮率は、被写体の奥行き方向の大きさと横方向の大きさの比と、前記被写体距離範囲内の所定の距離について導出した立体像の奥行き方向の大きさと横方向の大きさの比と、の関係で表されることを特徴とする請求項２に記載の撮像装置。
【請求項６】
前記線形率は次式（１１）で表され、前記圧縮率は次式（１５）で表されることを特徴とする請求項２に記載の撮像装置。
【数１１】
2014027391.tif 000022
【数１５】
2014027391.tif 000023
【請求項７】
前記立体像歪評価値導出部は、前記複数の撮影条件の各々と所定の観察条件と視差制限範囲とから、前記視差制限範囲内の視差量になる最遠の被写体距離である遠方制限推奨距離と前記視差制限範囲内の視差量になる最近の被写体距離である近方制限推奨距離とを導出し、前記被写体距離範囲を前記遠方制限推奨距離と前記近方制限推奨距離の間に設定することを特徴とする請求項１に記載の撮像装置。
【請求項８】
前記立体像歪評価値導出部は、前記複数の撮影条件の各々に応じた前記視差画像に対する補正処理を指定し、画像補正パラメータを設定する補正処理設定部をさらに備え、
前記推奨被写体範囲導出部は、前記複数の撮影条件の各々に応じた前記画像補正パラメータに応じて、前記遠方制限推奨距離と前記近方制限推奨距離と前記歪評価値を変更することを特徴とする請求項１に記載の撮像装置。
【発明の詳細な説明】
【技術分野】
【０００１】
本発明は、撮像装置に関するものである。
【背景技術】
【０００２】
一般にステレオ撮影された立体像の見え方は、観察条件（画面サイズと視距離）と左右画像の視差量の大きさで決まり、視差量の大きさは撮影条件で決まる。視差量が大きすぎると立体像は見づらくなるため、撮影するときには注意が必要とされる。
【０００３】
また、立体像が不自然に歪んで見える立体歪という現象が知られている。被写体の大きさが狂って見えたり、被写体がひどくつぶれて見えたりするが、これも撮影条件が不適切なときに起こりやすい。
【０００４】
そのため、撮影者は全体の視差量の大きさとともに、不自然な歪が発生しないように、被写体の配置や撮影条件などを工夫しなければならない。しかし、熟練者でなければ、撮影条件をどうすれば良いのかを撮影現場で臨機応変に判断するのは難しい。
【０００５】
特に、歪については、完全な無歪状態は特定の撮影条件でしか成り立たないので、実際には少し歪がでても許容することになるが、どこまでずらしても良しとするかを判断するのは容易でない。
【０００６】
表示画面が立体表示対応になっているカメラもあるが、立体像の見え方は観察条件に依存するため、想定する観察条件がカメラの表示画面の観察条件とは大きく異なる場合、例えば大型ＴＶなどで観察する場合には、歪の出方を予想するのは難しい。
【０００７】
前述のように、従来は適切な撮影条件を判断するのが難しく、立体画像の撮影を面倒なものにしていた。又は視差量の大きさや歪を考慮せず、非常に不自然な立体画像を撮影していた。
このような問題を解決するために、特許文献１の立体画像再現歪み出力装置では、立体歪情報を出力する装置を提案している。これは、撮影現場で撮影条件・空間条件・観察条件を入力して、空間歪パラメータとそれによる不自然さ量を計算するものである。この提案ではメッシュを設定し、メッシュの各点に於いて空間歪パラメータと不自然さ量を計算し、メッシュの変形や色・テクスチャの違いによって画面に図示している。
【先行技術文献】
【特許文献】
【０００８】
【特許文献１】特開２００５−２６７５６号公報
【発明の概要】
【発明が解決しようとする課題】
【０００９】
しかしながら、特許文献１に記載の立体画像再現歪み出力装置では、メッシュの各点で空間歪パラメータとそれによる不自然さ量を計算するだけで、全体としての歪評価値を出しているわけではない。このため、例えば複数の撮影条件の歪を比較したり、歪の許容範囲を決めたり、といったことが簡単ではない。また特許文献１に記載の表示は、小さな民生用デジタルカメラの背面ディスプレイでは見やすいとはいえない。
【００１０】
本発明は、上記に鑑みてなされたものであって、設定した被写体距離範囲の被写体全体の歪を表す歪評価値を表示可能であって、これにより、撮影条件間の比較や許容範囲の設定が容易になり、撮影条件の検討がしやすくなる撮像装置を提供することを目的としている。
【課題を解決するための手段】
【００１１】
上述した課題を解決し、目的を達成するために、本発明に係る撮像装置は、複数の撮影条件で視差画像を取得する撮像部と、複数の撮影条件の各々と所定の観察条件と被写体距離範囲とから、所定の観察条件下で視差画像から観察される立体像の歪について被写体距離範囲内の被写体全体を代表する歪評価値を導出する立体像歪評価値導出部と、複数の撮影条件の各々に応じた歪評価値の情報を表示する表示部と、を備えることを特徴としている。
【００１２】
本発明に係る撮像装置において、歪評価値は、圧縮率及び線形率の少なくとも一方を含むことが好ましい。
【００１３】
本発明に係る撮像装置は、複数の撮影条件の各々と所定の観察条件と視差制限範囲とから、視差制限範囲内の視差量になる最遠の被写体距離である遠方制限推奨距離と視差制限範囲内の視差量になる最近の被写体距離である近方制限推奨距離とを導出する推奨被写体範囲導出部を備え、表示部は、推奨被写体範囲導出部が導出した遠方制限推奨距離及び近方制限推奨距離を表示することが好ましい。
【００１４】
本発明に係る撮像装置において、線形率は、被写体距離範囲内の最遠の距離について導出した立体像の大きさと、最近の距離について導出した立体像の大きさと、その中間の距離について導出した立体像の大きさと、を用いて表されることが好ましい。
【００１５】
本発明に係る撮像装置において、圧縮率は、被写体の奥行き方向の大きさと横方向の大きさの比と、被写体距離範囲内の所定の距離について導出した立体像の奥行き方向の大きさと横方向の大きさの比と、の関係で表されることが好ましい。
【００１６】
本発明に係る撮像装置において、線形率は次式（１１）で表され、圧縮率は次式（１５）で表されることが好ましい。
【００１７】
【数１１】
2014027391.tif 000003
【００１８】
【数１５】
2014027391.tif 000004
【００１９】
本発明に係る撮像装置において、立体像歪評価値導出部は、複数の撮影条件の各々と所定の観察条件と視差制限範囲とから、視差制限範囲内の視差量になる最遠の被写体距離である遠方制限推奨距離と視差制限範囲内の視差量になる最近の被写体距離である近方制限推奨距離とを導出し、被写体距離範囲を遠方制限推奨距離と近方制限推奨距離の間に設定することが好ましい。
【００２０】
本発明に係る撮像装置において、立体像歪評価値導出部は、複数の撮影条件の各々に応じた視差画像に対する補正処理を指定し、画像補正パラメータを設定する補正処理設定部をさらに備え、推奨被写体範囲導出部は、複数の撮影条件の各々に応じた画像補正パラメータに応じて、遠方制限推奨距離と近方制限推奨距離と歪評価値を変更することが好ましい。
【発明の効果】
【００２１】
本発明に係る撮像装置は、設定した被写体距離範囲の被写体全体の歪を表す歪評価値を表示可能であって、これにより、撮影条件間の比較や許容範囲の設定が容易になり、撮影条件の検討がしやすくなる、という効果を奏する。
【図面の簡単な説明】
【００２２】
【図１】本発明の第１実施形態に係る撮像装置の構成を示すブロック図である。
【図２】瞳分割方式光学系を概念的に説明する図である。
【図３】撮像光学系からの出力画像を示す図である。
【図４】立体表示対応テレビにＬ画像及びＲ画像を表示した状態を示す図である。
【図５】観察者が感じる立体像の再現位置と大きさを示す図である。
【図６】快適視差範囲を説明する概念図である。
【図７】第１実施形態において非線形歪を説明する図であって、被写体空間と再現立体像空間が線形の場合を示す図である。
【図８】本発明の第１実施形態において非線形歪を説明する図であって、非線形歪が発生している場合を示す図である。
【図９】本発明の第１実施形態において非線形歪を説明する図であって、非線形歪が発生している場合を示す図である。
【図１０】本発明の第１実施形態において被写体奥行きと被写体サイズの比率に対する再現奥行きと再現被写体サイズの比率の関係を示すグラフである。
【図１１】本発明の第１実施形態において発生した圧縮歪の例を示す図である。
【図１２】本発明の第１実施形態における表示例を示す図である。
【図１３】本発明の第２実施形態に係る撮像装置の構成を示すブロック図である。
【図１４】本発明の第２実施形態における表示例を示す図である。
【図１５】本発明の第３実施形態に係る撮像装置の構成を示すブロック図である。
【図１６】本発明の第３実施形態における表示例を示す図である。
【図１７】本発明の第４実施形態に係る撮像装置の構成を示すブロック図である。
【図１８】本発明の第４実施形態における表示例を示す図である。
【図１９】本発明の第５実施形態に係る撮像装置の構成を示すブロック図である。
【図２０】第２の絞りの例を示す平面図である。
【発明を実施するための形態】
【００２３】
以下に、本発明に係る撮像装置の実施形態を図面に基づいて詳細に説明する。なお、以下の実施形態によりこの発明が限定されるものではない。
まず、本発明の実施形態に係る撮像装置の構成及び作用効果について説明する。
【００２４】
本発明の実施形態に係る撮像装置は、複数の撮影条件で視差画像を取得する撮像部と、複数の撮影条件の各々と所定の観察条件と被写体距離範囲とから、所定の観察条件下で視差画像から観察される立体像の歪について被写体距離範囲内の被写体全体を代表する歪評価値を導出する立体像歪評価値導出部と、複数の撮影条件の各々に応じた歪評価値の情報を表示する表示部と、を備えることを特徴としている。
【００２５】
この構成により、設定した被写体距離範囲の被写体全体の歪を表す歪評価値を表示することができるため、撮影条件間の比較や許容範囲の設定が容易になり、撮影条件の検討がしやすくなる。また、ステレオ撮影時に、現在の撮影条件で撮影され想定する観察条件下で観察される立体映像について、立体歪の程度を表す歪評価値を導出し、カメラの背面表示画面に表示することにより、撮影者は立体歪を改善させるように撮影条件を調整することができ、自然な立体映像の撮影が容易になる。
【００２６】
本発明の実施形態に係る撮像装置において、歪評価値は、圧縮率及び線形率の少なくとも一方を含むことが好ましい。
本発明の実施形態に係る撮像装置は、さらに、複数の撮影条件の各々と所定の観察条件と視差制限範囲とから、視差制限範囲内の視差量になる最遠の被写体距離である遠方制限推奨距離と視差制限範囲内の視差量になる最近の被写体距離である近方制限推奨距離とを導出する推奨被写体範囲導出部を備え、表示部は、推奨被写体範囲導出部が導出した遠方制限推奨距離及び近方制限推奨距離を表示することが好ましい。
これにより、あらかじめ設定した視差範囲制限を満たすような被写体範囲も同時に表示できるため、撮影者は歪具合と視差範囲のバランスを考慮して撮影条件や被写体配置を調整できる。特にマクロ撮影のように被写体距離が短いときは、推奨被写体範囲が狭くなりやすいため、このような表示が効果的である。
【００２７】
本発明の実施形態に係る撮像装置において、線形率は次式（１１）で表され、圧縮率は次式（１５）で表されることが好ましい。
【００２８】
【数１１】
2014027391.tif 000005
【００２９】
【数１５】
2014027391.tif 000006
【００３０】
本発明の実施形態に係る撮像装置において、立体像歪評価値導出部は、複数の撮影条件の各々と所定の観察条件と視差制限範囲とから、視差制限範囲内の視差量になる最遠の被写体距離である遠方制限推奨距離と視差制限範囲内の視差量になる最近の被写体距離である近方制限推奨距離とを導出し、被写体距離範囲を遠方制限推奨距離と近方制限推奨距離の間に設定することが好ましい。
これにより、あらかじめ設定した視差範囲制限を満たすような距離範囲内の被写体について、全体を代表する歪評価値を導出するため、撮影条件間の比較や許容範囲の設定が容易になり、撮影条件の検討がしやすくなる。
【００３１】
本発明の実施形態に係る撮像装置において、立体像歪評価値導出部は、複数の撮影条件の各々に応じた視差画像に対する補正処理を指定し、画像補正パラメータを設定する補正処理設定部をさらに備え、推奨被写体範囲導出部は、複数の撮影条件の各々に応じた画像補正パラメータに応じて、遠方制限推奨距離と近方制限推奨距離と歪評価値を変更することが好ましい。
これにより、画像シフトや画像の拡縮により視差量を調整する機能をもったカメラの場合も、調整によってどのように歪が変わるのかが示されるため、撮影時に適切な調整が可能になる。
【００３２】
（第１実施形態）
図１は、本発明の第１実施形態に係る撮像装置１００の構成を示すブロック図である。
図１に示すように、撮像装置１００は、第１条件設定部１１０、第２条件設定部１２０、撮影条件取得部１３０、第１導出部１４０、表示制御部１５０、表示部１６０、第２導出部１７０、及び撮像光学系１８０を備える。
【００３３】
撮像装置１００において、第１条件設定部１１０（視差範囲制限条件設定部）、第２条件設定部１２０（観察条件設定部）、及び撮影条件取得部１３０の出力は、第１導出部１４０（推奨被写体範囲導出部）に入力される。第１導出部１４０は、歪評価値を導出する被写体範囲を設定する。第１導出部１４０は、設定した被写体範囲と観察条件と撮影条件のデータを出力し、それらは第２導出部１７０（立体像歪評価値導出部）に入力される。第２導出部１７０では、入力された被写体範囲について歪評価値を計算し、その結果と撮影条件の一部が表示制御部１５０に出力され、表示制御部１５０で重畳された映像信号（図示は省略）は表示部１６０で表示される。
【００３４】
以下、撮像装置１００を構成する各部の構成・作用について説明する。
第１条件設定部１１０は、観察時視差角の最大値Δφｃ１と最小値Δφｃ２を設定する。第１実施形態では、後で説明する快適視差範囲の考え方に基づいて、最大値Δφｃ１と最小値Δφｃ２にはあらかじめ初期値が設定されているが、ユーザー入力により変更可能にしてもよい。
【００３５】
観察条件設定部としての第２条件設定部１２０は、想定する表示画面の横幅Ｗｄ、観察距離Ｄｖ、及び観察者（ユーザー）の瞳孔間距離ＩＰＤを設定する。いずれもあらかじめ初期値が設定されているが、ユーザー入力により変更可能である。変更方法は、いくつかある候補の中から観察者が選択するようにしても良いし、任意の数値を入力してもよい。
【００３６】
撮影条件取得部１３０は、レンズ情報取得部１３１と基線長導出部１３２を備える。レンズ情報取得部１３１では、定期的に又は撮像光学系１８０に変化があったときに、撮像光学系１８０からレンズの焦点距離ｆ、絞り大きさＦ、合焦距離Ｚｏ０の値を取得する。基線長導出部１３２は、焦点距離ｆと絞りの大きさＦに基づいて瞳分割撮影の基線長ＳＢ（図２）を導出する。そして、撮影条件取得部１３０は、焦点距離ｆと合焦距離Ｚｏ０と基線長ＳＢを第１導出部１４０へ出力する。
【００３７】
推奨被写体範囲導出部としての第１導出部１４０は、複数の撮影条件の各々と所定の観察条件と視差制限範囲とから、視差制限範囲内の視差量になる最遠の被写体距離である遠方制限推奨距離と視差制限範囲内の視差量になる最近の被写体距離である近方制限推奨距離とを導出する。
より具体的には、第１導出部１４０は、
（１）快適視差範囲の視差角の最大値Δφｃ１と最小値Δφｃ２、
（２）想定する表示装置の横幅Ｗｄ、
（３）観察距離Ｄｖ、
（４）観察者の瞳孔間距離ＩＰＤ、並びに、
（５）焦点距離ｆ、合焦距離Ｚｏ０、及び基線長ＳＢ
の値から、想定する観察条件（所定の観察条件）下で、
（ａ）観察時視差角が最大値Δφｃ１になるような被写体距離Ｚｏｃ１、及び
（ｂ）観察時視差角が最小値Δφｃ２になるような被写体距離Ｚｏｃ２、
を導出する。
【００３８】
被写体距離Ｚｏｃ１（近方制限推奨距離）の位置にある被写体が快適に観察できる最も近方の被写体であり、被写体距離Ｚｏｃ２（遠方制限推奨距離）の距離にある被写体が快適に観察できる最も遠方の被写体である。撮影においては、近方制限推奨距離から遠方制限推奨距離までの範囲を超える被写体があまり写りこまないように、又は目立たないようにすることが望ましい。
【００３９】
立体像歪評価値導出部としての第２導出部１７０は、複数の撮影条件の各々と所定の観察条件と被写体距離範囲とから、所定の観察条件下で視差画像から観察される立体像の歪について被写体距離範囲内の被写体全体を代表する歪評価値を導出する。第２導出部１７０は、前段で導出された被写体距離Ｚｏｃ１、Ｚｏｃ２と、想定する表示画面の幅Ｗｄ、観察距離Ｄｖ、及び瞳孔間距離ＩＰＤと、撮影レンズの焦点距離ｆ、合焦距離Ｚｏ０、及び基線長ＳＢの値から、線形率Ｌｉｎと圧縮率Ｅｘｐａを導出し、表示制御部へ線形率Ｌｉｎと圧縮率Ｅｘｐａと基線長ＳＢを出力する。
線形率Ｌｉｎは、被写体空間と観察者が感じる再現立体空間の線形性を現す評価値であり、圧縮率Ｅｘｐａは、被写体空間の奥行きに対して再現立体空間の奥行きが過小に見えたり過大に見えたりする程度を表す評価値である。
【００４０】
表示制御部１５０は、第２導出部１７０から線形率Ｌｉｎと圧縮率Ｅｘｐａと基線長ＳＢを受け取り、これらの値を、センサ１８３から受けた映像信号に重畳して表示部１６０へ出力する。
【００４１】
表示部１６０は、複数の撮影条件の各々に応じた歪評価値の情報を表示する。また、表示部１６０は、推奨被写体範囲導出部が導出した遠方制限推奨距離及び近方制限推奨距離を表示する。
【００４２】
次に、撮像光学系１８０による視差画像取得について説明する。
撮像部としての撮像光学系１８０は、複数の撮影条件で視差画像を取得する。ここでは、撮像光学系１８０は、瞳分割方式の光学系を想定する。撮像光学系１８０は、レンズ１８１、絞り１８２（図２）、センサ１８３、及び、駆動回路１８４を備える。駆動回路１８４はレンズ１８１をその光軸Ａｘに沿った方向に移動させ、その移動に関する情報をレンズ情報取得部１３１へ出力する。
【００４３】
立体映像を撮影するときは、２系統の光学系を用いる２眼式（平行法・交差法）が一般的だが、瞳分割方式は、１系統の光学系の入射瞳の一部を通過した光束と別の一部を通過した光束を２系統の光学系を通過した光束のように扱い、視差量のある左右画像を得るものである。詳細は後で説明するが、２眼式と異なり、フォーカスの合ったところの視差量が０になり、ボケたところほど視差量の絶対値が大きくなるという特徴がある。また２眼式撮影では、左右の光軸がどれだけ離れているかを示す基線長は通常固定されているが、瞳分割方式ではレンズの焦点距離や絞りの大きさによって基線長が変化するという特徴もある。なお、左右の光軸が離れているほど視差量が大きくなりやすい。
【００４４】
図２は、瞳分割方式光学系を概念的に説明する図であって、前側焦点位置に絞り１８２を置いたテレセントリック光学系を用いて瞳分割方式の撮影を行う場合の説明図である。図２において、レンズ１８１の中心からセンサ１８３のセンサ面１８３ａまでの距離はｂ０、被写体Ｔからの光が交差する点からレンズ１８１の中心までの距離はｂである。
【００４５】
図２は、レンズ１８１の中心からの距離Ｚｏの位置に被写体Ｔがあり、レンズ１８１の中心からの距離Ｚｏ０の位置に被写体Ｔ０があり、被写体Ｔ０にフォーカスを合わせたときの様子を示している。図２では、焦点距離ｆの位置にある絞り１８２を左右２つの領域に分けて考え、左側領域の中心ＡＬｃと右側領域の中心ＡＲｃ（図２）を通る光線を表している。
【００４６】
センサ１８３のセンサ面１８３ａでは、合焦被写体Ｔ０上の点から出た光は１点に収束するが、それより遠方の被写体Ｔ上の点から出た光ははセンサ面より手前で１点に収束する。図２に示すように、被写体Ｔから出て絞り１８２の左右領域の中心ＡＬｃ、ＡＲｃをそれぞれ通った光はセンサ面１８３ａ上で重ならず異なる位置にずれる。この位置のずれは被写体と撮像光学系１８０との距離に応じて変わる。したがって、絞り１８２の左側領域を通った光と右側領域を通った光を別々に取り出すことができれば、一般的な２眼式の立体撮像と同様に、被写体距離に応じた左右画像のズレすなわち視差量のある２枚の画像が得られる。ただし、瞳分割方式光学系においては、合焦被写体の視差量は常に０になるという特徴がある。
【００４７】
ここで、絞り１８２の左右領域を通った光を分離するには、例えばレンズ１８１の入射瞳の右半分と左半分を交互に遮蔽して、時間的に左右を分離したり、光路上にプリズムなどをいれて別々のセンサに導いたり、画素ごとに左右を振り分けたりといった方法がある。
【００４８】
以上により、最終的に、図３のような２つの画像が保存される。図３は撮像光学系からの出力画像を示す図である。図３（ａ）は、絞り１８２の左側領域を通った光による、被写体Ｔの画像ＩＴ＿Ｌと被写体Ｔ０の画像ＩＴ０＿Ｌを示し、（ｂ）は、絞り１８２の右側領域を通った光による、被写体Ｔの画像ＩＴ＿Ｒと被写体Ｔ０の画像ＩＴ０＿Ｒを示している。
【００４９】
センサ１８３上での視差量の計算は次のように考える。
入射瞳の右半分の重心と左半分の重心との間の距離を基線長ＳＢとする。基線長ＳＢは、レンズ１８１の焦点距離ｆと、絞り１８２の大きさを表すＦ値と、の比に係数をかけたものとして計算できる。さらに、被写体Ｔから絞り１８２の左側領域の中心ＡＬｃを通った光線がセンサ１８３上に達した点と、右側領域の中心ＡＲｃを通った光線がセンサ１８３上に達した点と、のセンサ面１８３ａ上での距離を、被写体Ｔのセンサ１８３上での視差量Δｘｓとする。この視差量Δｘｓと被写体距離Ｚｏの関係は、収差などの影響を無視すれば、次式（１）のようになる。
【００５０】
【数１】
2014027391.tif 000007
【００５１】
また、レンズ１８１の光軸Ａｘに垂直な面内において、被写体Ｔの大きさ（横サイズ）をＸｏとすると、センサ１８３上での被写体像の大きさＸｓは次式（２）のようになる。
【００５２】
【数２】
2014027391.tif 000008
【００５３】
次に撮影された視差画像を想定する立体表示対応ＴＶなどで表示して観察する場合の視差量と立体像の再現位置について説明する。図４は、立体表示対応テレビにＬ画像（左眼用画像）及びＲ画像（右眼用画像）を表示した状態を示す図である。図５は、観察者Ｖが感じる立体像の再現位置と大きさを示す図である。
【００５４】
図４では、画面１６１に、被写体ＴのＬ画像ＩＴ＿ＬとＲ画像ＩＴ＿Ｒの両方が表示されているが、専用メガネＶＧをかけた観察者Ｖには、左眼ＥＬ（図５）ではＬ画像、右眼ＥＲ（図５）ではＲ画像のみが見える。撮像された被写体ＴのＬ画像ＩＴ＿ＬとＲ画像ＩＴ＿Ｒは、画面１６１において視差量Δｘｄだけずれて表示されている。これに対して、被写体Ｔ０のＬ画像ＩＴ０＿ＬとＲ画像ＩＴ０＿Ｒは丁度重なって表示されている。
【００５５】
図５に示すように、観察者Ｖには画面１６１上の視差量に応じた奥行き位置に被写体があるように見えている。再現される立体像ＶＴの奥行き位置（観察者Ｖからの距離Ｚｖの位置）は、画面１６１に対する観察距離Ｄｖ、観察者Ｖの瞳孔間距離ＩＰＤ、及び画面１６１上の視差量Δｘｄで決まる。被写体Ｔの立体像ＶＴの再現奥行きを定める距離Ｚｖは、次式（３）のようになる。
【００５６】
【数３】
2014027391.tif 000009
【００５７】
一方、被写体Ｔ０の立体像ＶＴ０については、視差量が０となるため、Ｌ画像ＩＴ０＿Ｌ及びＲ画像ＩＴ０＿Ｒと丁度重なって画面１６１上に再現される。
また、再現される立体像ＶＴの大きさ（横サイズ）Ｘｖは、画面１６１上の被写体像の大きさＸｄ、観察距離Ｄｖ（観察者Ｖから画面１６１までの距離）、及び、立体像ＶＴの再現奥行き距離Ｚｖで決まる。再現奥行き距離Ｚｖは、上式（３）で決まるため、立体像ＶＴの大きさＸｖは、画面１６１上の被写体像の大きさＸｄ、観察者Ｖの瞳孔間距離ＩＰＤ、及び、画面上視差量Δｘｄ（Ｌ画像ＩＴ＿Ｌの中心とＲ画像ＩＴ＿Ｒの中心の距離）で決まることになり、次式（４）のように表せる。
なお、「横サイズ」とは、図２、図４、図５における被写体やセンサ面上の被写体像や表示画面に表示される被写体像および再現される立体像の左右方向の大きさである。
【００５８】
【数４】
2014027391.tif 000010
【００５９】
なお、画面１６１上における、視差量Δｘｄ及び被写体像の大きさＸｄ（図５）は、それぞれセンサ１８３上における、視差量Δｘｓ及び被写体像の大きさＸｓ（図２）に比例する。表示装置（表示部１６０）の画面１６１の横サイズをＷｄ、センサ１８３の横サイズをＷｓとすると、画面１６１上の視差量Δｘｄは、センサ１８３上の視差量Δｘｓに画面サイズＷｄとセンササイズＷｓの比Ｍｓｄ＝Ｗｄ／Ｗｓを掛けたものになり、次式（５）のように表せる。式（５）において、符号はセンサ１８３上と画面１６１上で逆になり、式（５）では立体像を観察したときに画面１６１の奥に見える場合の視差量の符号が正、画面１６１より飛び出して見える場合の視差量の符号が負になる。
【００６０】
【数５】
2014027391.tif 000011
【００６１】
視差量ΔＸｄと同様に、画面１６１上の被写体サイズＸｄは、センサ１８３上の被写体像の大きさＸｓに画面サイズＷｄとセンササイズＷｓの比Ｍｓｄを掛けたものになり、次式（６）のように表せる。
【００６２】
【数６】
2014027391.tif 000012
【００６３】
次に快適視差範囲（コンフォートゾーン）について説明する。図６は、快適視差範囲を説明する概念図である。
両眼視差を利用した立体表示を観察する場合、画面上視差量の絶対値が大きすぎると立体像は見づらくなり、極端な場合は融像できなくなる。そこで視差量がどれくらいで融像困難になるか、どの範囲（快適視差範囲）なら快適に見られるか、を調査する研究がこれまでに数多くなされ、おおよその目安となる値も発表されている（参考：３Ｄコンソーシアム「３ＤＣ安全ガイドライン」）。
【００６４】
立体像が快適に見られる画面上視差量は、画面１６１に対する視距離に応じて変わってしまうため、快適視差範囲は立体像に対する視差角で示されることが多い。視差角とは、立体像を見るときの観察者の視線の為す角度（輻輳角）と画面１６１に対する輻輳角の差である。
【００６５】
例えば図６に示すように、快適に見られる最も近方の立体像ｃ１を見るときの視線の為す角度（輻輳角）をφｃ１、快適に見られる最も遠方の立体像ｃ２を見るときの輻輳角をφｃ２、及び、画面１６１に対する輻輳角をθｖとする。このとき、快適に見られる最も近方の立体像ｃ１を見るときの輻輳角φｃ１と画面１６１に対する輻輳角θｖの差Δφｃ１が快適に見られる最も近方の立体像ｃ１に対する視差角であり、快適に見られる最も遠方の立体像ｃ２を見るときの輻輳角φｃ２と画面１６１に対する輻輳角θｖの差Δφｃ２が快適に見られる最も遠方の立体像ｃ２に対する視差角である。これら２つの視差角Δφｃ１、Δφｃ２の間の範囲が快適視差範囲となる。これらの視差角Δφｃ１、Δφｃ２の具体的な数値としては、例えば「３ＤＣ安全ガイドライン」にΔφｃ１＝１度、Δφｃ２＝−１度が示されている。
【００６６】
次に、第１導出部１４０で、観察時視差角が最大値Δφｃ１になるような被写体距離（近方制限推奨距離）Ｚｏｃ１と、観察時視差角が最小値Δφｃ２になるような被写体距離（遠方制限推奨距離）Ｚｏｃ２と、を導出する方法について説明する。
【００６７】
＜被写体距離の導出＞
視差角Δφ（Δφｃ１、Δφｃ２）は、上述のように、再現された立体像に対する輻輳角と画面１６１に対する輻輳角の差であり、画面１６１を観察するときの観察距離Ｄｖと観察者Ｖの瞳孔間距離ＩＰＤに依存し、画面１６１上の視差量Δｘｄを用いて次式（７）で表せる。
【００６８】
【数７】
2014027391.tif 000013
【００６９】
上式（７）で算出した視差角Δφを用いて、視差角Δφとなるような画面１６１上の視差量Δｘｄが次式（８）で決められる。
【００７０】
【数８】
2014027391.tif 000014
【００７１】
この式（８）のΔφに、視差角Δφｃ１、Δφｃ２を代入すれば、視差角Δｘｄをそれぞれ算出でき、これらにより画面上視差量Δｘｄｃ１、Δｘｄｃ２が決まる。さらに、上式（５）から逆算していけば画面上視差量Δｘｄｃ１、Δｘｄｃ２にそれぞれ対応する被写体距離Ｚｏｃ１、Ｚｏｃ２が計算できる。このため、最終的には、視差角が最大値Δφｃ１になるような被写体距離Ｚｏｃ１は次式（９）のような形で表すことができる。
【００７２】
【数９】
2014027391.tif 000015
【００７３】
また、視差角が最小値Δφｃ２になるような被写体距離Ｚｏｃ２は上式（９）のΔφｃ１をΔφｃ２に置き換えた次式（１０）で表せる。
【００７４】
【数１０】
2014027391.tif 000016
【００７５】
ここで、例外判定（例外処理）について説明する。
画面上視差量Δｘｄｃ２は画面１６１より奥に立体像が再生されるような視差量だが、画面上視差量Δｘｄｃが観察者Ｖの瞳孔間距離ＩＰＤを超えてしまうと視線が開散状態になり、快適に見ることはできなくなる。そこで、ＩＰＤ未満でＩＰＤに近い値ＸＤＭＸについて
Δｘｄｃ２＞ＸＤＭＸ
が成り立つとき、別言すると上式（１０）において
Ｂ／Ｃ＞ＸＤＭＸ
が成り立つときは、例外処理としてＢ／Ｃ＝ＸＤＭＸとする。
ＸＤＭＸは例えばＸＤＭＸ＝ＩＰＤ×0.95とする。
【００７６】
また、条件によっては
Ｚｏｃ２＜０
となることがある。これは後で説明する立体歪により遠方被写体に対する視差量が小さくなって、視差角が最小値Δφｃ２になるような被写体距離Ｚｏｃ２が存在しない状態を示す。このような場合は、遠方制限推奨距離Ｚｏｃ２を無限大とする。
【００７７】
次に、第２導出部１７０における、線形率Ｌｉｎと圧縮率Ｅｘｐａの導出について説明する。
まず、立体像の歪について説明する。
一般に立体映像を撮影するとき、撮影条件と観察条件の幾何学的な関係によって再現される立体像が歪み、不自然な見え方になることがある。ここでは歪の出方を大別して２つに分けて扱う。
【００７８】
１つ目の歪みとしての非線形歪は、被写体空間と再現立体像空間が非線形になることにより、ある程度遠方の被写体がひとつの面に張り付いて見えたり、奥行きによって被写体の大きさが狂って見えたりするものである。
【００７９】
図７、図８、図９は非線形歪を説明する図であって、図７は被写体空間と再現立体像空間が線形の場合、図８、図９は非線形歪が発生している場合を示す。また、図７〜図９において、（ａ）は被写体奥行きに対する再現立体像の奥行きを示したグラフ、（ｂ）は被写体奥行きに応じて再現立体像の大きさが変わることを示したグラフ、（ｃ）は被写体奥行きに応じて変わる再現立体像の見え方を示したものである。図８（ａ）、（ｂ）、図９（ａ）、（ｂ）において、破線は、被写体空間と再現立体像空間が線形の場合を示しており、実線は、非線形歪が発生している場合を示している。図８と図９は、非線形歪の現れ方が逆になっている。
【００８０】
図７に示す場合では、被写体奥行きと再現奥行きは線形関係にあり、観察者が感じる再現立体像の大きさは奥行きによって変わらない。したがって、奥行きの異なる同じ大きさの２つの被写体を撮影したときに、再現立体像でも２つは同じ大きさに感じられる。
これに対して図８に示す場合では、被写体奥行きが大きいほど、すなわち遠くにあるものほど、再現奥行きも大きさも強調されるため、手前にあるものが小さくなったような見え方になる（図８（ｃ））。
また、図９に示す場合は、図８に示す場合と逆であって、遠くにあるものほど奥行きと大きさが圧縮されるため、ある程度遠くのものが全て平面に張り付いたように見える（図９（ｃ））。
【００８１】
この現象は、例えば被写体距離に対して基線長や焦点距離が大きすぎると図８のようになり、観察画面が小さすぎると図９のようになる傾向があるが、関与するパラメータは基線長、焦点距離、合焦距離、観察画面サイズ、観察者の瞳孔間距離などがあり、歪とパラメータが１対１対応しているわけではない。
【００８２】
２つ目の歪を圧縮歪と呼ぶ。図１０は、第１実施形態において被写体奥行きと被写体サイズの比率に対する再現奥行きと再現立体像サイズの比率の関係を示すグラフである。図１１は、第１実施形態において発生した圧縮歪の例を示す図である。
図１０において、破線Ｌ０は被写体空間と再現立体像空間が相似形の場合、実線Ｌ１はサイズに比較して奥行きが強調された場合、実線Ｌ２はサイズに比較して奥行きが圧縮された場合をそれぞれ示している。図１１において、再現立体像Ｓ１は、そのサイズと奥行きの比率が、被写体Ｓ０のサイズと奥行きの比率と同じ場合、再現立体像Ｓ２は奥行きが強調された場合、再現立体像Ｓ３は奥行きが圧縮された場合をそれぞれ示している。
【００８３】
被写体空間と再現空間が線形であっても、図１０のようにサイズと奥行きの比率が被写体空間と再現空間で大きく異なることがあり、その結果、図１１の再現立体像Ｓ３のように全体が圧縮されてレリーフのように見えたり、逆に、再現立体像Ｓ２のように奥行きが強調されすぎて奇妙な見え方になることがある。この現象は、主に撮影画角と観察画角が大きく異なることが原因で、例えば撮影レンズの焦点距離が長すぎる、すなわち撮影画角が狭い場合、奥行きが圧縮された見えになりやすい。ただし線形でないときは合焦距離などの他のパラメータも影響してくる。
【００８４】
このような歪の両方を完全になくすような理想的な条件の実現は多くの場合困難である。実際には、用途にもよるが、歪具合が小さければ観察者は気にしないため、歪が大きくなりすぎない程度に撮影条件を理想からずらして撮影することになる。そのためには、撮影者が、現在の撮影条件ではどのような歪の状態になるかを簡単にモニターできると都合が良い。
そこで、第１実施形態の撮像装置では、歪の状態を表す評価値Ｄ１として、線形性を表す数値としての線形率Ｌｉｎと、奥行き強調・圧縮の程度を表す数値としての圧縮率ｅｘ（Ｅｘｐａ）と、をカメラの表示画面１６１に表示する（図１２）。図１２は、第１実施形態における表示例を示す図である。
【００８５】
非線形歪みの程度は、被写体の奥行き範囲をどう設定するかで変わるが、ここでは前述の第１導出部１４０で導出した近方制限推奨距離Ｚｏｃ１と遠方制限推奨距離Ｚｏｃ２を用いる。
【００８６】
以下、歪評価値Ｄ１の導出の具体的な計算方法について説明する。
＜１．線形率  Ｌｉｎ＞
線形率は、近方制限推奨距離Ｚｏｃ１、遠方制限推奨距離Ｚｏｃ２、及び、合焦距離Ｚｏ０の３点のデータから導出する。なお、遠方制限推奨距離Ｚｏｃ２が無限大の場合は、視差量に関してはほとんど無限大とみなせるような大きな有限の距離で置き換えて計算する。
線形性が崩れると、図８（ｂ）や図９（ｂ）のグラフに示すように、再現される立体像のサイズが奥行きによって大きく変わる。そこで、近方制限推奨距離Ｚｏｃ１、遠方制限推奨距離Ｚｏｃ２、及び、合焦距離Ｚｏ０について、所定の被写体サイズＸｏに対する立体像のサイズＸｖｃ１、Ｘｖｃ２、Ｘｖ０を求め、設定した範囲内で最も近い立体像のサイズＸｖｃ１と最も遠い立体像のサイズＸｖｃ２の差を合焦位置の立体像（画面１６１上の像）のサイズＸｖ０で割って１を加えたものを線形率Ｌｉｎとする。ここで、線形率Ｌｉｎは、次式（１１）のようになる。
【００８７】
【数１１】
2014027391.tif 000017
【００８８】
立体像のサイズＸｖｃ１、Ｘｖｃ２、Ｘｖ０は、上式（４）のように画面１６１上の被写体像の大きさと観察者の瞳孔間距離と画面上視差量で決まり、次式（１２）、（１３）、（１４）のように表される。
【００８９】
【数１２】
2014027391.tif 000018
【００９０】
【数１３】
2014027391.tif 000019
【００９１】
【数１４】
2014027391.tif 000020
【００９２】
ここで、画面上被写体像の大きさＸｄｃ１、Ｘｄｃ２、画面上視差量Δｘｄｃ１、Δｘｄｃ２などは、上式（５）、（６）のＺｏにＺｏｃ１やＺｏｃ２を代入して計算する。
線形率Ｌｉｎは、その値が１のとき線形性が成り立っており、１＜Ｌｉｎのときは図８のような歪が発生しており、Ｌｉｎ＜１のときは図９のような歪が発生しており、値が１から離れるほど歪の程度が大きい。
【００９３】
＜２．圧縮率  Ｅｘｐａ＞
線形率が１でないとき、被写体距離によって圧縮率は異なってくるが、第１実施形態では合焦距離Ｚｏ０の被写体について導出した圧縮率を全体の圧縮率の代表値とする。
【００９４】
大きさ（横サイズ）Ｘｏの被写体が、合焦距離Ｚｏ０と所定の微小距離ΔＺｏだけ離れた距離Ｚｏ１にある場合を考える。ここで、合焦距離Ｚｏ０と距離Ｚｏ１に対応する立体像の再現奥行きＺｖ０とＺｖ１、及び、奥行きＺｖ０に再現される立体像の横サイズＸｖ０を求め、立体像の奥行き差Ｚｖ１−Ｚｖ０とサイズＸｖ０の比を被写体距離の差ΔＺｏとサイズＸｏの比で割ったものを圧縮率Ｅｘｐａとする。所定の微小距離ΔＺｏを被写体の奥行き方向の大きさ、立体像の奥行き差Ｚｖ１−Ｚｖ０を立体像の奥行き方向の大きさΔＺｖ０と言い換えても良い。圧縮率Ｅｘｐａを式で表すと次式（１５）のようになる。
【００９５】
【数１５】
2014027391.tif 000021
【００９６】
圧縮率Ｅｘｐａは、その値が１００％のとき、再現された立体像はもとの被写体と相似形であり、Ｅｘｐａ＜１００％のときは奥行きが圧縮された状態を示し、１００％＜Ｅｘｐａのときは奥行きが強調された状態を示し、圧縮率Ｅｘｐａが１００％から離れるほど、歪の程度が大きいことを示す。
【００９７】
上式（１１）、（１５）の計算では、観察条件のパラメータとして、想定する表示画面の幅Ｗｄ、観察距離Ｄｖ、及び、瞳孔間距離ＩＰＤを用い、撮影条件のパラメータとして、撮影レンズの焦点距離ｆ、合焦距離Ｚｏ０、及び基線長ＳＢ、を用いる。そのため、第２導出部１７０には、第１導出部１４０で導出した被写体距離Ｚｏｃ１と被写体距離Ｚｏｃ２のほかに、想定する表示画面の幅Ｗｄ、観察距離Ｄｖ、瞳孔間距離ＩＰＤ、撮影レンズの焦点距離ｆ、合焦距離Ｚｏ０、及び、基線長ＳＢの値が入力される。第２導出部１７０は、線形率Ｌｉｎと圧縮率Ｅｘｐａを導出し、表示制御部１５０に対して、線形率Ｌｉｎ、圧縮率Ｅｘｐａ、及び基線長ＳＢを出力する。
【００９８】
次に図１２を用いて、表示部１６０における歪評価値の表示について説明する。図１２（ａ）は、カメラの背面液晶などの表示部１６０の画面１６１に、ライブビュー画像ＬＶに重畳して、歪評価値ＤＥ（線形率Ｌｉｎと圧縮率Ｅｘｐａ）と基線長ＳＢの値を表示した様子を示したものである。画面１６１にはＡＦ（オートフォーカス）などで使用したフォーカスエリアＦＡも同時に表示している。図１２（ｂ）、（ｃ）、（ｄ）は、撮影者による何らかのカメラ操作によって撮影条件が変わったことにより、歪評価値が変化したときの表示の様子を示す。
【００９９】
撮影者は、図１２（ａ）の表示を見て現在の歪評価値を把握できる。その後、例えばレンズの絞りを操作して基線長ＳＢを変化させると、表示は図１２（ｂ）のように基線長ＳＢと歪評価値ＤＥの値が更新される。一方、被写体にフォーカスしたまま被写体に近づいた場合は図１２（ｃ）のように、被写体にフォーカスしたまま被写体から遠ざかった場合は図１２（ｄ）のように、それぞれ基線長ＳＢの表示は変わらず歪評価値が更新される。
【０１００】
このような表示により、撮影者は現在の撮影条件でどのような歪（歪評価値）になるかを簡単に知ることができ、また歪が改善するように撮影条件を工夫することが容易になる。また、歪評価値が変化したときは強調表示になるようにすると、よりわかりやすくて良い。さらに、歪評価値が改善したときと劣化したときで表示の色や強調の仕方を変えるとさらにわかりやすいため好ましい。
【０１０１】
（第２実施形態）
第１実施形態に係る撮像装置では、撮影された画像に特に補正処理を加えない場合を想定していたが、第２実施形態に係る撮像装置では、撮影後のＬ画像及びＲ画像にシフト処理やズーム処理その他の補正処理を施してから画像を保存、又は補正処理を指定する情報を画像に付加して保存する場合を想定している。
【０１０２】
第２実施形態に係る撮像装置は、第１実施形態に係る撮像装置の構成に加えて、複数の撮影条件の各々に応じた視差画像に対する補正処理を指定し、画像補正パラメータを設定する補正処理設定部２９０をさらに備える。推奨被写体範囲導出部としての第１導出部２４０は、複数の撮影条件の各々に応じた画像補正パラメータに応じて、遠方制限推奨距離と近方制限推奨距離を変更する。
【０１０３】
図１３は、第２実施形態に係る撮像装置２００の構成を示すブロック図である。図１４は、第２実施形態における表示例を示す図である。
撮像装置２００における、第１条件設定部２１０、第２条件設定部２２０、撮影条件取得部２３０、レンズ情報取得部２３１、基線長導出部２３２、第１導出部２４０、表示制御部２５０、表示部２６０、撮像光学系２８０、レンズ２８１、撮像光学系２８０の絞り（不図示）、センサ２８３、及び駆動回路２８４は、第１実施形態の撮像装置１００の第１条件設定部１１０、第２条件設定部１２０、撮影条件取得部１３０、レンズ情報取得部１３１、基線長導出部１３２、第１導出部１４０、表示制御部１５０、表示部１６０、撮像光学系１８０、レンズ１８１、絞り１８２、センサ１８３、及び駆動回路１８４にそれぞれ対応する。
【０１０４】
補正処理設定部２９０による補正処理は、撮影条件が制限されているときでも線形性や圧縮率を改善する効果がある。例えば、第１実施形態のような瞳分割方式の撮像光学系において、広角レンズを使用して基線長のわりに撮影距離を短くできないような場合、線形率は１より小さくなり圧縮も目立ってしまう。このような場合、Ｌ画像及びＲ画像をそれぞれ外側へ、すなわちＬ画像は左へ、Ｒ画像は右へそれぞれシフトすることで、線形率も圧縮率も改善することができる。また、画像を拡大することでも、線形率や圧縮率を改善可能である。なお、実際のシフト処理や拡大処理は、画像自体を処理してもよいし、センサ２８３から信号を読み出す際に読み出し位置や読み出す範囲を変更する方法で実現しても良い。
【０１０５】
観察者が補正処理を設定する場合、例えばカメラの表示部の画面２６１（図１４）にＬ画像及びＲ画像を重畳表示して、画像シフトの様子を確認しながら補正処理設定操作に割り当てられたボタンを操作する。画面２６１には、画像と同時に立体像歪評価値ＤＥ（線形率、圧縮率）が表示され、観察者は歪評価値を確認しながら、適切な補正値を設定する。
【０１０６】
補正処理設定部２９０は、図示しないインターフェースを介した観察者の操作に基づいて、シフト設定値Ｓｈｉｆｔとズーム設定値Ｚｏｏｍを設定する。このシフト設定値Ｓｈｉｆｔとズーム設定値Ｚｏｏｍは第１導出部２４０へ入力される。
第１導出部２４０では、
（１）快適視差範囲の視差角の最大値Δφｃ１と最小値Δφｃ２、
（２）想定する表示装置の横幅Ｗｄ、
（３）観察距離Ｄｖ、
（４）観察者の瞳孔間距離ＩＰＤ、
（５）焦点距離ｆ、合焦距離Ｚｏ０、及び基線長ＳＢ、並びに
（６）シフト設定値Ｓｈｉｆｔ、及びズーム設定値Ｚｏｏｍ
から、想定する観察条件下で、
（ａ）観察時視差角が最大値Δφｃ１になるような近方制限推奨距離Ｚｏｃ１、及び
（ｂ）観察時視差角が最小値Δφｃ２になるような遠方制限推奨距離Ｚｏｃ２
を導出する。ただし、最小値Δφｃ２に対する画面上での視差量が瞳孔間距離ＩＰＤによって決まる値ＸＤＭＸを超えるときは、画面２６１上での視差量＝ＸＤＭＸとなるような被写体距離を遠方制限推奨距離Ｚｏｃ２とする。ＸＤＭＸはＩＰＤより小さい値で例えばＩＰＤの９５％となるような値とする。
【０１０７】
第２導出部２７０では、距離Ｚｏｃ１、Ｚｏｃ２、想定する表示画面の幅Ｗｄ、観察距離Ｄｖ、瞳孔間距離ＩＰＤ、撮影レンズの焦点距離ｆ、合焦距離Ｚｏ０、基線長ＳＢの値、シフト設定値Ｓｈｉｆｔ、及びズーム設定値Ｚｏｏｍから、線形率Ｌｉｎと圧縮率Ｅｘｐａを導出し、表示制御部１５０へ、線形率Ｌｉｎ、圧縮率Ｅｘｐａ、シフト設定値Ｓｈｉｆｔ、及びズーム設定値Ｚｏｏｍの値を出力する。表示制御部１５０は、これらの情報を、センサ２８３から受けた映像信号に重畳して表示部２６０へ出力し、表示部２６０はこれらを表示する（図１４）。
なお、その他の構成、作用、効果については、第１実施形態と同様である。
【０１０８】
（第３実施形態）
第３実施形態に係る撮像装置は、画面３６１（図１６）に、歪評価値ＤＥに加えて先に導出した推奨被写体範囲の情報（近方制限推奨距離Ｚｏｃ１、遠方制限推奨距離Ｚｏｃ２）も表示する点が第１実施形態に係る撮像装置と異なる。
【０１０９】
図１５は、第３実施形態に係る撮像装置３００の構成を示すブロック図である。図１６は、第３実施形態における表示例を示す図である。
撮像装置３００における、第１条件設定部３１０、第２条件設定部３２０、撮影条件取得部３３０、レンズ情報取得部３３１、基線長導出部３３２、第１導出部３４０、表示制御部３５０、表示部３６０、第２導出部３７０、撮像光学系３８０、レンズ３８１、撮像光学系３８０の絞り（不図示）、センサ３８３、及び駆動回路３８４は、第１実施形態の撮像装置１００の第１条件設定部１１０、第２条件設定部１２０、撮影条件取得部１３０、レンズ情報取得部１３１、基線長導出部１３２、第１導出部１４０、表示制御部１５０、表示部１６０、第２導出部１７０、撮像光学系１８０、レンズ１８１、絞り１８２、センサ１８３、及び駆動回路１８４にそれぞれ対応する。
【０１１０】
第１導出部３４０の動作は第１実施形態の第１導出部１４０の動作と同様である。第２導出部３７０は、第１実施形態の第２導出部１７０と同様に線形率Ｌｉｎと圧縮率Ｅｘｐａを導出し、線形率Ｌｉｎ、圧縮率Ｅｘｐａ、基線長ＳＢに加えて、近方制限推奨距離Ｚｏｃ１、遠方制限推奨距離Ｚｏｃ２、及び合焦距離Ｚｏ０の情報を表示制御部２５０へ出力する。表示制御部２５０ではこれらの情報を、センサ２８３から受けた映像信号に重畳して表示部２６０へ出力し、表示部２６０はこれらを表示する。
【０１１１】
立体歪を改善するために基線長や焦点距離を長くすると、全体に視差量が大きくなるため推奨被写体範囲が狭くなり、撮影したい被写体が推奨被写体範囲を超えてしまうこともある。そのような場合、歪と被写体範囲のバランスを考えて撮影する必要がある。
第３実施形態の撮像装置では、歪評価値とともに推奨被写体範囲も表示されるため、立体歪の改善だけでなく全体の見易さも同時に考慮しながら撮影条件を調整できる。特にマクロ撮影のように被写体距離が短いときは、推奨被写体範囲が狭くなりやすいため、このような表示が効果的である。
なお、その他の構成、作用、効果については、第１実施形態と同様である。
【０１１２】
（第４実施形態）
図１７は第４実施形態に係る撮像装置４００の構成を示すブロック図である。図１８は、第４実施形態における表示例を示す図である。
第４実施形態の撮像装置４００は、第２実施形態と同様に補正処理設定部４９０を備え、表示部４６０で表示される情報として推奨被写体範囲の情報を加えている。
【０１１３】
撮像装置４００における、第１条件設定部４１０、第２条件設定部４２０、撮影条件取得部４３０、レンズ情報取得部４３１、基線長導出部４３２、第１導出部４４０、表示制御部４５０、表示部４６０、撮像光学系４８０、レンズ４８１、撮像光学系４８０の絞り（不図示）、センサ４８３、及び駆動回路４８４は、第１実施形態の撮像装置１００の第１条件設定部１１０、第２条件設定部１２０、撮影条件取得部１３０、レンズ情報取得部１３１、基線長導出部１３２、第１導出部１４０、表示制御部１５０、表示部１６０、撮像光学系１８０、レンズ１８１、絞り１８２、センサ１８３、及び駆動回路１８４にそれぞれ対応する。
【０１１４】
瞳分割方式では補正処理がなければ「合焦距離＝視差ゼロ距離」になるが、シフト処理を行うと、合焦距離と視差ゼロ距離がずれる。例えば、Ｌ画像及びＲ画像を外側へそれぞれシフトさせると、合焦被写体の視差量は０より大きくなり、立体像の再現位置は表示画面より奥側に移動し、手前の別の被写体が画面上に再現される。しかし、第３実施形態の図１６のような表示では、そのことがわかりにくい。
【０１１５】
そこで、第４実施形態では、図１８に示すように、合焦距離Ｚｏ０とは別に、補正処理を加えたときに視差量が０になる距離Ｚｏ０’（視差ゼロ距離）を表示するようにしている。
これにより、第２実施形態の撮像装置とは異なり、第１導出部４４０では、近方制限推奨距離Ｚｏｃ１と遠方制限推奨距離Ｚｏｃ２に加え、視差ゼロ距離Ｚｏ０’を導出する。第２導出部４７０の動作は第２実施形態の第２導出部２７０と同様だが、視差ゼロ距離Ｚｏ０’の情報が追加で入力され、そのまま表示制御部２５０へ出力される。表示部４６０では、図１８に示すように、歪評価値ＤＥとしての立体歪評価値の線形率Ｌｉｎ及び圧縮率Ｅｘｐａと、補正処理設定ＣＳとしてのシフト設定値Ｓｈｉｆｔ及びズーム設定値Ｚｏｏｍと、近方制限推奨距離Ｚｏｃ１、遠方制限推奨距離Ｚｏｃ２、合焦距離Ｚｏ０、及び視差ゼロ距離Ｚｏ０’と、を表示する。
なお、その他の構成、作用、効果については、第１実施形態と同様である。
【０１１６】
（第５実施形態）
図１９は第５実施形態に係る撮像装置５００の構成を示すブロック図である。
第５実施形態に係る撮像装置では、第１実施形態の第１条件設定部１１０と第１導出部１４０の代わりに被写体範囲設定部５１０を備え、この被写体範囲設定部５１０は被写体サイズ設定部５１１と被写体距離範囲導出部５１２を含む。
【０１１７】
撮像装置５００における、第２条件設定部５２０、撮影条件取得部５３０、レンズ情報取得部５３１、基線長導出部５３２、表示制御部５５０、表示部５６０、撮像光学系５８０、レンズ５８１、撮像光学系５８０の絞り（不図示）、センサ５８３、及び駆動回路５８４は、第１実施形態の撮像装置１００の第２条件設定部１２０、撮影条件取得部１３０、レンズ情報取得部１３１、基線長導出部１３２、表示制御部１５０、表示部１６０、撮像光学系１８０、レンズ１８１、絞り１８２、センサ１８３、及び駆動回路１８４にそれぞれ対応する。
【０１１８】
第５実施形態の撮像装置５００は、例えば特定のオブジェクトを撮影したいようなときに向いている。観察者は、図示しないインターフェース部を介して、被写体のサイズを、焦点を合わせる位置より手前にＯｂｒ１、奥にＯｂｒ２という形で設定する。被写体距離範囲導出部５１２では、撮影条件取得部５３０より合焦距離Ｚｏ０の値を受け取り、これと被写体サイズ設定部５１１で設定されたサイズＯｂｒ１、Ｏｂｒ２から、近方設定距離Ｚｏｒ１と遠方設定距離Ｚｏｒ２を導出する。ここで、
Ｚｏｒ１＝Ｚｏ０＋Ｏｂｒ１
Ｚｏｒ２＝Ｚｏ０＋Ｏｂｒ２
となる。
【０１１９】
第２導出部５７０では、まず例外処理を行う。Ｚｏｒ２から計算される画面上視差量Δｘｄｃ２がＩＰＤによって決まる値ＸＤＭＸ（例えばＸＤＭＸ＝ＩＰＤ×0.95）より大きいときは、Δｘｄｃ２＝ＸＤＭＸとし、遠方設定距離Ｚｏｒ２の値をΔｘｄｃ２に応じた値に更新する。その後、距離Ｚｏｒ１、Ｚｏｒ２と、想定する表示画面の幅Ｗｄ、観察距離Ｄｖ、及び瞳孔間距離ＩＰＤと、撮影レンズの焦点距離ｆ、合焦距離Ｚｏ０、及び基線長ＳＢの値と、から、線形率Ｌｉｎと圧縮率Ｅｘｐａを導出し、表示制御部５５０へ、線形率Ｌｉｎ、圧縮率Ｅｘｐａ、及び基線長ＳＢを出力する。
なお、被写体範囲設定部５１０は、観察者が近方設定距離Ｚｏｒ１と遠方設定距離Ｚｏｒ２を直接設定するようにしてもよい。
なお、その他の構成、作用、効果については、第１実施形態と同様である。
【０１２０】
（変形例）
上述の第１実施形態では瞳分割方式の撮像光学系１８０を想定し、基線長は焦点距離と絞り１８２の大きさから計算する場合を挙げた。第２〜第５実施形態の撮像光学系についても同様である。これに対して、撮像光学系のレンズに、図２０に示すような、２つの開口部１９２ａ、１９２ｂをもつ第２の絞り１９２を挿入するタイプを用いることもできる。その場合、基線長ＳＢは、基線長ＳＢは第２の絞り１９２の２つの開口部１９２ａ、１９２ｂの間隔と焦点距離から導出する。
【０１２１】
また、瞳分割方式の光学系に限る必要は無く、一般的な２系統の光学系を用いることもできる。その場合の基線長は焦点距離や絞りの大きさには依存しないため、固定の値を用いる、又は、２系統の光学系を制御する機構から基線長情報を取得して用いる。
【０１２２】
さらにまた、第１〜第５実施形態の撮像装置では、第１条件設定部１１０、２１０、３１０、４１０で設置する値については、一般的な快適視差範囲を例にとって説明したが、これに限られるものではない。例えば、一部の裸眼立体表示装置は、視差量が大きくなると急激に解像度が落ちる性質をもっているため、解像度が落ちない視差範囲を制限条件として設定しても良い。
【０１２３】
さらに、推奨被写体範囲を表示する場合、第１導出部１４０、２４０、３４０、４４０、および第２導出部５７０で例外処理を行ったとき、すなわち遠方限界推奨距離Ｚｏｃ２が開散限界の距離の場合は、その情報も表示制御部１５０、２５０、３５０、４５０、５５０へ送り、遠方制限推奨距離Ｚｏｃ２の表示にマークをつけるなど通常とは違う表示にして開散限界であることを明示すると、これより遠方の被写体を入れてはいけないことを認識しやすくなるのでなお良い。
また、歪評価値として線形率と圧縮率の２つの値を表示しているが、これらを統合してひとつの歪評価値を算出して表示するようにすると、両方の値を見なくてもすむので特に不慣れな撮影者にとってはわかりやすくなって良い。 
【産業上の利用可能性】
【０１２４】
以上のように、本発明に係る撮像装置は、撮影条件間の比較や許容範囲の設定に有用である。
【符号の説明】
【０１２５】
１００    撮像装置
１１０    第１条件設定部（視差範囲制限条件設定部）
１２０    第２条件設定部（観察条件設定部）
１３０    撮影条件取得部
１３１    レンズ情報取得部
１３２    基線長取得部
１４０    第１導出部（推奨被写体範囲導出部）
１５０    表示制御部
１６０    表示部
１６１    画面
１７０    第２導出部（立体像歪評価値導出部）
１８０    撮像光学系
１８１    レンズ
１８２    絞り
１８３    センサ
１８３ａ  センサ面
１８４    駆動回路
１９２    第２の絞り
１９２ａ、１９２ｂ  開口部
２００    撮像装置
２１０    第１条件設定部（視差範囲制限条件設定部）
２２０    第２条件設定部（観察条件設定部）
２３０    撮影条件取得部
２４０    第１導出部（推奨被写体範囲導出部）
２５０    表示制御部
２６０    表示部
２６１    画面
２７０    第２導出部
２８０    撮像光学系
２９０    補正処理設定部
３００    撮像装置
３１０    第１条件設定部（視差範囲制限条件設定部）
３２０    第２条件設定部（観察条件設定部）
３３０    撮影条件取得部
３４０    第１導出部（推奨被写体範囲導出部）
３５０    表示制御部
３６０    表示部
３６１    画面
３７０    第２導出部
３８０    撮像光学系
４００    撮像装置
４１０    第１条件設定部（視差範囲制限条件設定部）
４２０    第２条件設定部（観察条件設定部）
４３０    撮影条件取得部
４４０    第１導出部（推奨被写体範囲導出部）
４５０    表示制御部
４６０    表示部
４６１    画面
４７０    第２導出部
４８０    撮像光学系
４９０    補正処理設定部
５００    撮像装置
５１０    被写体範囲設定部
５１１    被写体サイズ設定部
５１２    被写体距離範囲導出部
５２０    第２条件設定部（観察条件設定部）
５３０    撮影条件取得部  
５５０    表示制御部
５６０    表示部
５６１    画面
５７０    第２導出部
５８０    撮像光学系
ＡＬｃ    左側領域の中心
ＡＲｃ    右側領域の中心
Ａｘ      光軸
ＤＥ      歪評価値
Ｄｖ      観察距離
Ｅｘｐａ  圧縮率
ｆ        焦点距離
Ｆ        絞りの大きさ
ＦＡ      フォーカスエリア
ＩＰＤ    瞳孔間距離
ＩＴ＿Ｌ、ＩＴ＿Ｒ  被写体Ｔの画像
ＩＴ０＿Ｌ、ＩＴ０＿Ｒ  被写体Ｔ０の画像
ＬＶ      ライブビュー画像
Ｌｉｎ    線形率
Ｓ０      被写体
Ｓ１、Ｓ２、Ｓ３  再現立体像
ＳＢ      基線長
Ｔ、Ｔ０  被写体
Ｖ        観察者
Ｗｄ      画面サイズ
Ｗｓ      センササイズ
φｖｃ１  近方視差制限値
φｖｃ２  遠方視差制限値
φｖｃ３  近方限界視差角
φｖｃ４  遠方限界視差角
Ｚｏ０    合焦距離
Ｚｏｃ１  近方制限推奨距離
Ｚｏｃ２  遠方制限推奨距離
Ｚｏ０’  視差ゼロ距離
【図１】
2014027391.tif 000024
【図２】
2014027391.tif 000025
【図３】
2014027391.tif 000026
【図４】
2014027391.tif 000027
【図５】
2014027391.tif 000028
【図６】
2014027391.tif 000029
【図７】
2014027391.tif 000030
【図８】
2014027391.tif 000031
【図９】
2014027391.tif 000032
【図１０】
2014027391.tif 000033
【図１１】
2014027391.tif 000034
【図１２】
2014027391.tif 000035
【図１３】
2014027391.tif 000036
【図１４】
2014027391.tif 000037
【図１５】
2014027391.tif 000038
【図１６】
2014027391.tif 000039
【図１７】
2014027391.tif 000040
【図１８】
2014027391.tif 000041
【図１９】
2014027391.tif 000042
【図２０】
2014027391.tif 000043